(57)【要約】      （修正有）【課題】安価で手軽に取得できる、管楽器の弱音器（ミュート）を提供する。【解決手段】空き缶１１をトランペット１０などのベルに装着して、ミュートとして使用する。ミュート部材を構成するテーパジョイント本体１は、円錐形の先端部に吹き込み穴４が設けられ、内部は空洞になって、この空洞部３と容器ジョイント部が連結している。容器ジョイント部は、空き缶１１の飲み口を保持するメスネジ式の保持部とすることで、回転させながら容易に固着できる。【選択図】図１
2015075558.tif 000002
【特許請求の範囲】
【請求項１】
先端に吹き込み穴を設け、先端から楽器のベルに差し込む、空洞部からなる円錐形のテーパジョイント本体と、前記空洞部に空き容器の容器ジョイント部を設けてなることを特徴とする金管楽器用ミュート部材。
【請求項２】
前記容器ジョイント部は、空き容器の飲み口を保持するメスネジ式の保持部を設けてなることを特徴とする前記請求項１記載の金管楽器用ミュート部材。
【請求項３】
前記テーパジョイント本体と前記容器ジョイント部は、一体成型で構成したことを特徴とする前記請求項１乃至２記載の金管楽器用ミュート部材。
【請求項４】
前記テーパジョイント本体の周囲には空気抜き溝を設けたことを特徴とする前記請求項１乃至３記載の金管楽器用ミュート部材。
【請求項５】
前記容器ジョイント部には、前記空洞部からの空気を通過させるため、空気の通過道を構成する空気抜き穴を設け、空き容器の装着状況に応じて空気抜き量を調節可能としたことを特徴とする前記請求項１乃至３記載の金管楽器用ミュート部材。
【発明の詳細な説明】
【技術分野】
【０００１】
本発明は、清涼飲料水等のアルミ缶、スチール缶、ペットボトル容器等の空き容器を金管楽器の弱音器として使用するための部材に関する。          
【背景技術】
【０００２】
楽器演奏において、音量を周囲に配慮したり、作曲者の指示で音量を落とす、或いは音質の変化の目的で、楽器に弱音器（ミュート）を装着することがある。
【０００３】
演奏家が本番演奏で使用する正式のミュートは高価であり、特に学生やアマチュアには手が届きにくいものである。また、ミュートには演奏用ミュートの他、ウォーミングアップミュートや練習用など、目的に応じて準備されている。特に金管楽器の演奏を行う場合、住宅地や人が多いところでは、騒音の問題となり、演奏するのを躊躇するため、ミュートは、管楽器奏者にとって必需品として求められていた。
【先行技術文献】
【特許文献】
【０００４】
【特許文献１】特開２０１３−５４３５１
【非特許文献】
【０００５】
【非特許文献１】http://jp.yamaha.com/products/musical-instruments/winds/accessories/mutes/
【非特許文献２】http://blog.wackyfactory.net/~wakit/2007/06/post-444.php
【非特許文献３】http://blog.livedoor.jp/yoshinoyamanosherpa/archives/20551791.html
【発明の概要】
【発明が解決しようとする課題】
【０００６】
特許文献１は大手メーカーのミュートの特許文献であり、音を弱めることができるとともに、ピッチ、音色、音質を劣化することなく高精度に共鳴特性を再現することができる金管楽器に着脱可能な金管楽器用のミュートである。
【０００７】
非特許文献１は、大手メーカーのミュートのラインナップであり、安くても５０００円以上であり、１００００円を超えるものも多い。
【０００８】
そこで、楽器演奏者の中には空き缶など廃品を活用してミュートを自作する人も増えている。（非特許文献２、非特許文献３など）
【０００９】
しかし、ミュートを自作するのは大変な作業であり、金属加工の素人が行うには時間もかかるし、危険でもある。そこで、本発明では、安価で簡単に取得できる管楽器用ミュート部材を提供することを目的としている。
【課題を解決するための手段】
【００１０】
本発明の請求項１では、先端に吹き込み穴を設け、先端から楽器のベルに差し込む、空洞部からなる円錐形のテーパジョイント本体と、この空洞部に空き容器の容器ジョイント部を設けて構成されてなる金管楽器用ミュート部材とした。
【００１１】
また請求項２では容部ジョイント部分がメスネジになっており、空き缶のネジ蓋を取り外して空き缶本体のオスネジと嵌合装着することによりミュートとして使用できるというものである。
【００１２】
請求項３では、テーパジョイント本体と容器ジョイント部は、一体成型で構成することでコストも削減できるものが提供できる。
【００１３】
本発明においてミュートとして機能させるためには、空き容器の周囲の適当な位置に穴を開けておけば足りるが、請求項４では、テーパジョイント本体の周囲には空気抜き溝を設けたものを提案している。
【００１４】
さらに請求項５では、容器ジョイント部に、空洞部からの空気を通過させるため、外部に空気の通過道を構成する空気抜き穴を設け、空き容器の装着状況に応じて空気抜き量を調節可能としている。
【発明の効果】
【００１５】
このように、本発明では、トランペットなどの金管楽器を演奏する際に、日常周囲に存在する清涼飲料などの空き容器、材質は、特定されないが、特にアルミ缶などの空き缶を利用して、簡単にミュートとして使え、多くの人が楽器演奏を楽しめるようになる。
【図面の簡単な説明】
【００１６】
【図１】本発明の金管楽器用ミュート部材の使用状態の断面説明図。
【図２】本発明の金管楽器用ミュート部材の断面説明図。
【図３】本発明のテーパジョイント本体の外周説明図。
【図４】本発明の金管楽器用ミュート部材へ空き容器を装着する際の断面説明図。
【図５】本発明の金管楽器用ミュート部材の空気抜き溝の説明図。
【図６】本発明の金管楽器用ミュート部材の空気抜き状態の説明図。
【図７】本発明の金管楽器用ミュート部材の他の空気抜き状態の説明図。
【図８】図７の気抜き状態におけるテーパジョイント本体の外周説明図。
【発明を実施するための形態】
【００１７】
次に図面に基づいて本発明を説明する。図１に示されるように、缶コーヒーやジュース、アルコール類などの飲料の空き缶１１を、管楽器用ミュート部材Ｍを介してトランペット１０などベルに装着して、ミュートとして使用するものである。図２、図３にも示されるように管楽器用ミュート部材Ｍを構成するテーパジョイント本体１は、円錐形の先端部が吹き込み穴４が設けられ、テーパジョイント本体１の内部は、空洞になって、この空洞部３と容器ジョイント部２が連結している。
【００１８】
特に、この容器ジョイント部２は、弾力性のある断面凹状の、サイズを若干小さめにしておけば、空き缶１１の飲み口を保持出来るが、理想的な実施例として、請求項２で示したように、空き容器の飲み口を保持するメスネジ式の保持部にしておくことで、図４に示したように空き缶１１は、回転しながら容易に固着できる。
【００１９】
第一実施例では、図３に示したようにテーパジョイント本体１の外周には、何らの溝もないため、空き缶１１をミュートとして、使用するためには、空き缶１１の底や外周の適当なところに、穴を開け、楽器を吹いた時に、その空気の抜け穴となる空気穴が必要である。それは、空き缶１１の穴は、奏者が必要により行える程度である。また、空き缶１１に穴を開けずに使用する場合は、テーパジョイント本体１の外周にコルクや弾性体を介在させ、楽器に装着させる際、適当な空気通路を形成することもできる。
【００２０】
この空き缶１１に空気穴を設けない場合は、図５に示すように、テーパジョイント本体１の外周に空気抜き溝５を設けても良い。こうすることで、空き缶１１の外周に特別に空気穴などを設ける必要もなく、さらに容易に空き缶１１をミュートとして簡単に使用できる。
【００２１】
このように、ミュートは、楽器のベルを完全に塞いでしまうのではなく、何らかの空気穴（空気道）が必要である。図６で示した実施例では、空き缶１１の装着状態で空気抜き穴６への空気量を調節できる実施例であり、図６の左側の側面断面説明にあるように、空き缶１１の回転での装着状態を完全に締め付けてしまえば空気の排出はできないが、多少手前で緩めておけば、空気の流れが形成され、空気は空気抜き穴６から空気道７を伝わって外部に流れるようになっている。図６の右側にテーパジョイント本体１の底部から見た状態が確認できる。この実施例（請求項５）であれば、空き缶１１に穴が空いている場合と、空いてない場合、どちらでも使用できものが提供できる。
【００２２】
この請求項５の実施例では、図７に示すように容器ジョイント部には、空洞部からの空気を通過させるため、テーパジョイント本体１の外周部に空気の通過道を構成しても良い。図８に示すように空気溝７が外側にもあるのでさらに空気のヌケが良くなっている。
【００２３】
このように図６、図７、図８に示した空気の抜き穴を設け、空き容器の装着状況に応じて空気抜き量を調節可能としたことで空き缶１１にあらかじめ空気穴を設けたもの、全く穴がないものどちらでも使用でき、また空気容量を調節できることから音質にもこだわった演奏ができるミュートとすることができる。
【００２４】
なお、本発明における金管楽器用ミュート部材は、請求項３に記載したように、テーパジョイント本体１と容器ジョイント部２は、一体成型で構成し、材質についてもウレタン系のゴム、シリコン、樹脂など、装着性に優れたものを選択すれば良い。
【００２５】
また、装着する空き容器は、アルミ缶などの例で、説明したがペットボトル容器でも利用できることが分かり、利用範囲は広がるものとなる。
【産業上の利用可能性】
【００２６】
このように、本発明の管楽器用ミュート部材を提供することで、管楽器奏者にとって安価なミュートが取得でき、簡単に演奏活動ができ、多くの時間を楽しむことができ、多くの奏者に支持され、また廃物利用という点からも産業上極めて有益なものとなる。
【符号の説明】
【００２７】
１・・・テーパジョイント本体
２・・・容器ジョイント部
３・・・空洞部
４・・・吹き込み穴
５・・・空気抜き溝
６・・・空気抜き穴
７・・・空気道
１０・・・トランペット
１１・・・空き缶
【図１】
2015075558.tif 000003
【図２】
2015075558.tif 000004
【図３】
2015075558.tif 000005
【図４】
2015075558.tif 000006
【図５】
2015075558.tif 000007
【図６】
2015075558.tif 000008
【図７】
2015075558.tif 000009
【図８】
2015075558.tif 000010